(57)【要約】【課題】居住者の髪・襟などの後ろ姿を容易に確認することができる洗面所を提供することを目的とする。【解決手段】洗面台１がその背面を壁面１０Ａ１に接して設けられた洗面所１００において、前記洗面台１の上方に棚２が設けられ、この棚２が洗面台１の側方に延在して設けられ、この棚２の前面側２０に左右方向にスライド可能な第１の鏡３Ａが設けられ、前記壁面１０Ａ１に対向する間仕切４Ａ，４Ｂに第２の鏡３Ｂが設けられ、前記第１の鏡３Ａをスライドさせて、前記第１の鏡３Ａと前記第２の鏡３Ｂとを対向させて合わせ鏡になる。【選択図】図１
2013087559.tif 000002
【特許請求の範囲】
【請求項１】
洗面台がその背面を壁面に接して設けられた洗面所において、
前記洗面台の上方に棚が設けられ、この棚が洗面台の側方に延在して設けられ、
この棚の前面側に左右方向にスライド可能な第１の鏡が設けられ、
前記壁面に対向する間仕切に第２の鏡が設けられ、
前記第１の鏡をスライドさせて、前記第１の鏡と前記第２の鏡とを対向させて合わせ鏡になる
ことを特徴とする洗面所。
【請求項２】
請求項１に記載の洗面所において、
前記第１の鏡は、前記棚に設けられたレールに支持されている
ことを特徴とする洗面所。
【請求項３】
請求項１または２に記載の洗面所において、
前記間仕切は間仕切家具であり、
前記第２の鏡は前記間仕切家具の一部に組み込まれている
ことを特徴とする洗面所。
【請求項４】
請求項１〜３のいずれか一項に記載の洗面所において、
前記棚の後方に窓がある
ことを特徴とする洗面所。
【請求項５】
請求項１〜４のいずれか一項に記載の洗面所において、
前記棚の前面側に左右方向にスライド可能な板状面材が更に設けられ、この板状面材と前記第１の鏡とは、２枚戸として設けられている
ことを特徴とする洗面所。
【発明の詳細な説明】
【技術分野】
【０００１】
本発明は、洗面所に関する。
【背景技術】
【０００２】
メインミラーとこのメインミラーの両側にサイドミラーとが設けられている鏡台（三面鏡）の一例として特許文献１に記載の洗面化粧台が知られている。特許文献１は、ミラーキャビネットと、上記ミラーキャビネットの前面側において幅方向に隣接させて配設される略矩形板状のメインミラーおよびサイドミラーと、上記ミラーキャビネットにおいて前面側が開放するとともに、上記サイドミラーに前面側が覆い隠され閉状態となる収納部とを具備する洗面化粧台を開示している。この洗面化粧台では、例えば、両側のサイドミラーをメインミラーに対して、垂直になるように回転し、コ字型にすることにより、居住者の頭部の前面と側面を確認することができる。
【先行技術文献】
【特許文献】
【０００３】
【特許文献１】特開２００４−３５７９６５号公報
【発明の概要】
【発明が解決しようとする課題】
【０００４】
しかし、従来の洗面所に設置される洗面化粧台では、居住者が髪・襟などの後ろ姿を確認するために、頭部をメインミラー側に近づけたり、頭部を左右に回転したりする必要があり、居住者の髪・襟などの後ろ姿を容易に確認することができなかった。
【０００５】
本発明は、居住者の髪・襟などの後ろ姿を容易に確認することができる洗面所を提供することを目的とする。
【課題を解決するための手段】
【０００６】
上記課題を解決するために、請求項１に記載の発明は、例えば、図１、図２に示すように、
洗面台１がその背面を壁面１０Ａ１に接して設けられた洗面所１００，１００ａにおいて、
前記洗面台１の上方に棚２，２ａが設けられ、この棚２，２ａが洗面台１の側方に延在して設けられ、
この棚２，２ａの前面側２０に左右方向にスライド可能な第１の鏡３Ａが設けられ、
前記壁面１０Ａ１に対向する間仕切４Ａ，４Ｂに第２の鏡３Ｂが設けられ、
前記第１の鏡３Ａをスライドさせて、前記第１の鏡３Ａと前記第２の鏡３Ｂとを対向させて合わせ鏡になる
ことを特徴とする。
【０００７】
請求項１に記載の発明によれば、洗面所１００，１００ａにおいて、前記壁面１０Ａ１側に設けられた前記棚２，２ａの前面側２０に左右方向にスライド可能な第１の鏡３Ａが設けられ、前記壁面１０Ａ１に対向する間仕切４Ａ，４Ｂに第２の鏡３Ｂが設けられるので、第１の鏡３Ａをスライドすることにより合わせ鏡とすることができ、居住者の髪・襟などの後ろ姿を容易に確認することができる。
【０００８】
請求項２に記載の発明は、例えば、図３に示すように、
請求項１に記載の洗面所１００，１００ａにおいて、
前記第１の鏡３Ａは、前記棚２，２ａに設けられたレール２Ａ５に支持されている
ことを特徴とする。
【０００９】
請求項２に記載の発明によれば、前記第１の鏡３Ａは、前記棚２，２ａに設けられたレール２Ａ５に支持されているので、鏡を容易にスライドすることができる。
【００１０】
請求項３に記載の発明は、例えば、図１に示すように、
請求項１または２に記載の洗面所１００，１００ａにおいて、
前記間仕切は間仕切家具４Ａであり、
前記第２の鏡３Ｂは前記間仕切家具４Ａの一部に組み込まれている
ことを特徴とする。
【００１１】
請求項３に記載の発明によれば、前記間仕切は間仕切家具４Ａであるので、収納スペースを増やすことができ、前記第２の鏡３Ｂが前記間仕切家具４Ａの一部に組み込まれているので、この鏡３Ｂが前記間仕切家具４Ａと一体となった美観性に優れた間仕切を提供することができる。
【００１２】
請求項４に記載の発明は、例えば、図１，図２，図３，図６に示すように、
請求項１〜３のいずれか一項に記載の洗面所１００，１００Ａにおいて、
前記棚２，２ａの後方に窓５がある
ことを特徴とする。
【００１３】
請求項４に記載の発明によれば、前記棚２，２ａの後方に窓５があるので、棚２，２ａの後方の窓５からの採光により、前記棚２，２ａを設けた場合でも洗面所１００，１００ａが明るくなる。
【００１４】
請求項５に記載の発明は、例えば、図１、図２に示すように、
請求項１〜４のいずれか一項に記載の洗面所１００，１００Ａにおいて、
前記棚２，２ａの前面側２０に左右方向にスライド可能な板状面材２Ｂが更に設けられ、この板状面材２Ｂと前記第１の鏡３Ａとは、２枚戸として設けられている
ことを特徴とする。
【００１５】
請求項５に記載の発明によれば、２枚戸を閉めることで、棚の内部を隠すことができるので、美観が向上する。
【発明の効果】
【００１６】
本発明によれば、居住者の髪・襟などの後ろ姿を容易に確認することができる洗面所ことができる。
【図面の簡単な説明】
【００１７】
【図１】本発明に係る洗面所の一例を示す図であり、斜視図である。
【図２】同、（ａ）は洗面所の平面図、（ｂ）は図１（ａ）のＩ−Ｉ断面図、（ｃ）は図１（ａ）のＩＩ−ＩＩ断面図、（ｄ）は図１（ａ）のＩＩＩ−ＩＩＩ断面図である。
【図３】同、図２（ｃ）のＡ部およびＢ部の部分拡大図である。
【図４】同、（ａ）は洗面所の平面図、（ｂ）は図４（ａ）のＩ−Ｉ断面図、（ｃ）は図４（ａ）のＩＩ−ＩＩ断面図、（ｄ）は図４（ｃ）のＩＩＩ−ＩＩＩ断面図である。
【図５】間仕切家具であり、（ａ）は洗面所側の正面図、（ｂ）は洗面所側から見て背面に相当する居室側の収納部を示す図である。
【図６】第１の鏡をスライドさせて、第１の鏡の両側から洗面所への窓による採光を確保している状態を示す斜視図である。
【図７】図３（ｂ）のＡ部およびＢ部の部分拡大図である。
【図８】図３（ｂ）のＡ部およびＢ部の変形例についての部分拡大図である。
【図９】図３（ｂ）のＡ部およびＢ部の変形例についての部分拡大図である。
【発明を実施するための形態】
【００１８】
以下、図面を参照して本発明の実施の形態について説明する。
【００１９】
＜実施の形態１＞
図１および図２は本実施の形態に係る洗面所１００を示す図である。
図１、図２に示すように、洗面所１００は、壁１０Ａ〜１０Ｃでコ字型に囲まれており、このコ字型の開口部に、間仕切家具４Ａ（本発明の「間仕切」に相当する）と、開き戸１０Ｄ２とがそれぞれ長手方向（幅方向）に隣接させて配置され、更に、床と天井とで洗面所１００の空間を形成している。洗面所１００は、洗面台１と、この洗面台１上の棚２と、この棚２に対向している間仕切家具４Ａと、洗濯機６等を備えている。前記壁１０Ｃには、開口部が設けられ、この開口部に開き戸１０Ｄ１が設けられている。
【００２０】
洗面所１００において、洗面台１はその背面を壁面１０Ａ１に接して設けられ、前記洗面台１の上方に棚２が設けられ、この棚２が洗面台１の右側（側方）に延在して設けられ、この棚２の前面側２０に左右方向にスライド可能な第１の鏡３Ａを有する板状面材２Ａと前記棚２の前面側２０に左右方向にスライド可能な板状面材２Ｂとが設けられている。また、前記壁面１０Ａ１に対向する間仕切家具４Ａに第２の鏡３Ｂが設けられ、前記第１の鏡３Ａを左右方向にスライドさせて、前記第１の鏡３Ａと前記第２の鏡３Ｂとを対向させて合わせ鏡になる。前記第１の鏡３Ａを有する板状面材２Ａと板状面材２Ｂとは、２枚戸（２枚を引き違いにして開閉する戸）として設けられている。
【００２１】
棚２は、その長手が内壁である壁１０Ｂ，１０Ｃ間に設けられ、前記長手の両端が壁面１０Ｂ１，１０Ｃ１に接している。棚２は、天板２ａ１と、底板２ａ４と、これらの天板２ａ１と底板２ａ４との間に設けられた複数の棚板２ａ２，２ａ３と、棚２の前面側２０に設けられた鏡３Ａを有する板状面材２Ａと板状面材２Ｂとを備える。棚２の背板は設けられていない。鏡３Ａを有する板状面材２Ａは、板状面材２Ｂよりも、前記棚２の前面側２０に設けられている。天板２ａ１と底板２ａ４の短手（奥行）は、棚板２ａ２，２ａ３の短手と比べて、長く設定されている。天板２ａ１と底板２ａ４は、棚板２ａ２，２ａ３より前面側２０に突出するように設けられ、この突出した部分で鏡３Ａを有する板状面材２Ａと板状面材２Ｂとを上下から挟むように支持している。
【００２２】
前記第１の鏡３Ａを有する板状面材２Ａおよび前記板状面材２Ｂは、前記棚２の天板２ａ１と底板２ａ４のそれぞれに設けられた２つの凹型のレール２Ａ５に支持されている。前記第１の鏡３Ａは、板状面材２Ａに鏡３Ａを貼り付けて設けられている。図３に示すように、鏡３Ａを有する板状面材２Ａの上部に天板２ａ１の凹型のレール２Ａ５に挿入されている凸部が設けられ、鏡３Ａを有する板状面材２Ａの下部に車輪２Ａ１が設けられ、この板状面材２Ａの車輪２Ａ１が凹型のレール２Ａ５で支持されている。前記板状面材２Ａを左右方向に移動すると、この移動に従って、前記レール２Ａ５上を車輪２Ａ１が回転する。前記板状面材２Ｂも、板状面材２Ｂの下部に車輪２Ａ１が設けられ、この板状面材２Ｂの車輪２Ａ１が凹型のレール２Ａ５で支持されている。前記板状面材２Ｂを左右方向に移動すると、この移動に従って、前記レール２Ａ５上を車輪２Ａ１が回転する。
【００２３】
図５に示すように、間仕切家具４Ａは、天板４ａ１と、底板４ａ７と、これらの天板４ａ１と底板４ａ７との間に設けられた複数の棚板４ａ２〜４ａ６と、前記天板４ａ１と前記複数の棚板４ａ２〜４ａ６と前記底板４ａ７とのそれぞれの長手方向両端を挟んで鉛直に設けられた２枚の側板４ｂ１，４ｂ２と、棚板４ａ４の下部から４ｂ５との下部まで延設して洗面所側に設けられている第２の鏡３Ｂと、天板４ａ１の下部から棚板４ａ４の下部まで延設して居室（その他、廊下、ホール等）側に設けられている化粧板４ｃ１と、棚板４ａ５の下部から底板４ａ７の下部まで延設して居室側に設けられている化粧板４ｃ２等を備えている。ここで、前記第２の鏡３Ｂは前記間仕切家具４Ａの一部に組み込まれている。
【００２４】
間仕切家具４Ａは、（１）洗面所側において、上部に収納４Ａ１と、中央部に第２の鏡３Ｂと、この鏡３Ｂの下に、収納４Ａ３と、脱衣かご４Ａ４とが、それぞれ上から下へ向けて順に設けられ、（２）居室側において、第２の鏡３Ｂの背面に化粧板が設けられた収納４Ａ２が設けられている。居室側の収納４Ａ２には、ファックス機能付きの電話機とその子機が棚板４ａ５上に置かれている。
【００２５】
図６に示すように、板状面材２Ａ，２Ｂの２枚戸を重ね合わせ、これらの２枚戸が窓５と対向し、第１の鏡３Ａと第２の鏡３Ｂとを対向させて合わせ鏡とした場合でも、板状面材２Ａ，２Ｂの両側から棚板２ａ２，２ａ３が見える状態にすることにより、窓５からの光が棚２を介して洗面所１００内に入り込み採光を確保することができる。この場合、居住者の顔の両側から光が当たり、洗面所１００に入り込んだ光により、居住者の髪・襟などの後ろ姿を容易に確認することができる。
【００２６】
本実施の形態によれば、洗面所において、前記壁面１０Ａ１側に設けられた前記棚２の前面側２０に左右方向にスライド可能な第１の鏡３Ａを有する板状面材２Ａが設けられ、前記壁面１０Ａ１に対向する間仕切家具４Ａに第２の鏡３Ｂが設けられるので、第１の鏡３Ａを有する板状面材２Ａをスライドすることにより第１の鏡３Ａと第２の鏡３Ｂとを対向させて合わせ鏡とすることができ、居住者の髪・襟などの後ろ姿を容易に確認することができる。
【００２７】
また、前記第１の鏡３Ａを有する板状面材２Ａは、前記棚２に設けられたレール２Ａ５に支持されているので、鏡３Ａを有する板状面材２Ａを容易にスライドすることができる。
【００２８】
また、前記間仕切は間仕切家具４Ａであるので、収納スペースを増やすことができ、前記第２の鏡３Ｂが前記間仕切家具４Ａの一部に組み込まれているので、この鏡３Ｂが前記間仕切家具４Ａと一体となった美観性に優れた間仕切を提供することができる。
【００２９】
また、前記棚２の後方に窓５があるので、棚２の後方の窓５からの採光により、前記棚２を設けた場合でも洗面所１００が明るくなる。
【００３０】
また、２枚戸を閉めることで、棚の内部を隠すことができるので、美観が向上する。
【００３１】
＜実施の形態２＞
図３は本実施の形態に係る洗面所１００Ａを示す図である。
図３に示すように、洗面所１００Ａは、壁１０Ａ〜１０Ｃでコ字型に囲まれており、このコ字型の開口部に、間仕切壁４Ｂ（本発明の「間仕切」に相当する）と、この間仕切壁４Ｂに対して、引き戸１０Ｅ２が左右方向にスライド可能に壁４Ｂの内側に配置され、更に、床と天井とで洗面所１００Ａの空間を形成している。洗面所１００Ａは、洗面台１と、この洗面台１上の棚２ａと、この棚２ａに対向している間仕切壁４Ｂと、洗濯機６等を備えている。前記壁１０Ｃには、開口部が設けられ、この開口部に開き戸１０Ｅ１が設けられている。
【００３２】
洗面所１００Ａにおいて、洗面台１はその背面を壁面１０Ａ１に接して設けられ、前記洗面台１の上方に棚２ａが設けられ、この棚２ａが洗面台１の右側（側方）に延在して設けられ、この棚２ａの前面側２０に左右方向にスライド可能な第１の鏡３Ａを有する板状面材２Ａが設けられている。また、前記壁面１０Ａ１に対向する間仕切壁４Ｂに第２の鏡３Ｂが設けられ、前記第１の鏡３Ａを左右方向にスライドさせて、前記第１の鏡３Ａと前記第２の鏡３Ｂとを対向させて合わせ鏡になる。図４（ｂ）に示すように、前記第１の鏡３Ａを有する板状面材２Ａは、１枚戸である。
【００３３】
棚２ａは、その長手が内壁である壁１０Ｂ，１０Ｃ間に設けられ、前記長手の両端が壁面１０Ｂ１、１０Ｃ１に接している。棚２ａは、天板２ｂ１と、底板２ｂ４と、これらの天板２ｂ１と底板２ｂ４との間に設けられた複数の棚板２ａ２，２ａ３と、棚２ａの前面側２０に設けられた鏡３Ａを有する板状面材２Ａを備える。棚２の背板は設けられていない。天板２ｂ１と底板２ｂ４の短手（奥行）は、棚板２ａ２，２ａ３の短手と比べて、長く設定されている。天板２ｂ１と底板２ｂ４は、棚板２ａ２，２ａ３より前面側２０に突出するように設けられ、この突出した部分で鏡３Ａを有する板状面材２Ａを上下から挟むように支持している。図７に示すように、天板２ｂ１と底板２ｂ４の各々には、凹型のレール２Ａ５が一つ設けられている。この点で実施の形態１と異なる。
【００３４】
前記第１の鏡３Ａを有する板状面材２Ａは、前記棚２ａの上下に設けられた凹型のレールに支持されている。前記第１の鏡３Ａは、板状面材２Ａに鏡３Ａを貼り付けて設けられている。図３において、板状面材２Ｂとこの板状面材２Ｂのための凹型のレール２Ａ５をなくしたものが、本実施の形態における図に相当する。この場合、棚２ａの短手方向における収納スペースは、板状面材２Ｂがない分だけ、広がる。図７に示すように、鏡３Ａを有する板状面材２Ａの上部に天板２ｃ１の凹型のレール２Ａ５に挿入されている凸部が設けられ、鏡３Ａを有する板状面材２Ａの下部に車輪２Ａ１が設けられ、この板状面材２Ａの車輪２Ａ１が凹型のレール２Ａ５で支持されている。前記板状面材２Ａを左右方向に移動すると、この移動に従って、前記レール２Ａ５上を車輪２Ａ１が回転する。
【００３５】
図６に示すように、板状面材２Ａと窓５とを対向し、第１の鏡３Ａと第２の鏡３Ｂとを対向させて合わせ鏡とした場合でも、板状面材２Ａの両側から棚板２ａ２，２ａ３が見える状態にすることにより、窓５からの光が棚２ａを介して洗面所１００Ａ内に入り込み採光を確保することができる。この場合、居住者の顔の両側から光が当たり、洗面所１００Ａに入り込んだ光により、居住者の髪・襟などの後ろ姿を容易に確認することができる。
【００３６】
本実施の形態によれば、洗面所において、前記壁面１０Ａ１側に設けられた前記棚２の前面側２０に左右方向にスライド可能な第１の鏡３Ａを有する板状面材２Ａが設けられ、前記壁面１０Ａ１に対向する間仕切壁４Ｂに第２の鏡３Ｂが設けられるので、第１の鏡３Ａをスライドすることにより第１の鏡３Ａと第２の鏡３Ｂとを対向させて合わせ鏡とすることができ、居住者の髪・襟などの後ろ姿を容易に確認することができる。
【００３７】
また、前記第１の鏡３Ａを有する板状面材２Ａは、前記棚２に設けられたレール２Ａ５に支持されているので、鏡３Ａを有する板状面材２Ａを容易にスライドすることができる。
【００３８】
また、前記間仕切は間仕切壁４Ｂであるので、間仕切家具４Ａを設置する場合に比べて洗面所１００Ａの空間を広くすることができ、前記第２の鏡３Ｂが前記間仕切壁４Ｂの一部に組み込まれているので、この鏡３Ｂが前記間仕切壁４Ｂと一体となった美観性に優れた間仕切を提供することができる。
【００３９】
また、前記棚２ａの後方に窓５があるので、棚２ａの後方の窓５からの採光により、前記棚２，２ａを設けた場合でも洗面所１００Ａが明るくなる。
【００４０】
（変形例１）
上記実施の形態１，２では、天板２ａ１，２ｂ１と底板２ａ４，２ｂ４で鏡３Ａを有する板状面材２Ａを上下から挟むように支持しているについて説明したがこれに限られず、図８に示すように、凹型のレールを上面に有する天板２ｄ１を用いてもよい。この場合、鏡３Ａを有する板状面材２Ｃは、その上部において天板２ｄ１上に水平に延設されている水平部分を有し、この水平部分の下部に車輪３Ａ１が設けられ、天板２ｄ１上部の凹型のレール２Ａ５と底板２ｃ４の凹型のレール２Ａ５とで支持される。この場合、実施の形態１，２と棚の高さが同じであっても、棚２ａの天板２ｄ１より上方に板状面材２Ｃの上部が延設されるため、実施の形態１，２と比べて、大きな鏡３Ａを採用することができる。なお、変形例１においては、上記実施の形態と同じ部材には同一の符号を付し、説明を省略する。
【００４１】
（変形例２）
上記実施の形態１，２および変形例１では、凹型のレールを用いて、説明したがこれに限られず、凸型のレールを用いてもよい。この場合、車輪２Ａ１の外周に凹部が設けられ、この凹部が凸型のレール上に接して配置される。なお、変形例２においては、他の構成は上記実施の形態と同じであるため、説明を省略する。
【００４２】
（変形例３）
上記実施の形態１，２では、板状面材２Ａに鏡３Ａを貼り付けた例について説明したがこれに限られず、図９に示すように鏡３Ａだけを用いてもよい。この場合、鏡３Ａは天板２ｃ１の凹型のレールと底板２ｃ４の凹型のレールとで支持される。鏡３Ａの下部と接触する底板２ｃ４の凹型の底には鏡３Ａに対して摩擦係数が小さい樹脂素材等が設けられることが望ましい。なお、変形例３においては、他の構成は上記実施の形態と同じであるため、説明を省略する。
【００４３】
（変形例４）
上記実施の形態１，２および変形例１〜３では、棚２，２ａに背板を設けない例について説明したが、これに限られず、窓５が設置されている部分を除いて、背板を設けてもよい。この場合、窓５からの採光を確保する一方で、板状面材２Ａ，２Ｂを移動した際に、壁面１Ａが露出することがなく、棚板等と同じデザインを施した背板により、美観を向上することができる。なお、変形例４においては、他の構成は上記実施の形態と同じであるため、説明を省略する。
【符号の説明】
【００４４】
１     洗面台
２，２ａ      棚
２Ａ   板状面材
２Ａ，２Ｂ，２Ｃ     板状面材
２Ａ１ 車輪
２Ａ５ レール
２ａ１，２ｂ１，２ｃ１，２ｄ１     天板
２ａ２，２ａ３       棚板
２ａ４，２ｂ４，２ｃ４      底板
３Ａ，３Ｂ    鏡
４Ａ   間仕切家具
４Ｂ   間仕切壁
４Ａ１，４Ａ２，４Ａ３      収納
４ａ１ 天板
４ａ２〜４ａ６       棚板
４ａ７ 底板
４ｂ１，４ｂ２       側板
４ｃ１ 化粧板
４ｃ２ 化粧板
５     窓
６     洗濯機
１０Ａ，１０Ｂ，１０Ｃ      壁
１０Ｂ１，１０Ｂ１，１０Ｃ１       壁面
１０Ｄ１，１０Ｄ２，１０Ｅ１       開き戸
１０Ｅ２      引き戸
２０   前面側
１００，１００Ａ     洗面所
【図１】
2013087559.tif 000003
【図２】
2013087559.tif 000004
【図３】
2013087559.tif 000005
【図４】
2013087559.tif 000006
【図５】
2013087559.tif 000007
【図６】
2013087559.tif 000008
【図７】
2013087559.tif 000009
【図８】
2013087559.tif 000010
【図９】
2013087559.tif 000011